(57)【要約】【課題】複数の吐出口から吐出される塗布剤の吐出量を適切なものとする。【解決手段】櫛歯７０には、第１流路７１と、第１流路７１に比べ流路面積の狭い第２流路７２とからなる内部流路が形成されており、さらに、この内部流路における段差部７３の形成位置（第１流路７１と第２流路７２との接続位置）で内外を連通する第１吐出口７４及び段差部７３よりも下流位置で内外を連通する第２吐出口７５とが形成されている。このような構成によれば、内部流路に形成された段差部７３により染毛剤の流れが阻害されるため、段差部７３を有しない構造に比べ、段差部７３の形成位置に形成された第１吐出口７４からの染毛剤の吐出が促進されることになり、第１吐出口７４及び第２吐出口７５から吐出される染毛剤の吐出量を適切なものとすることができる。【選択図】図５
2010082326.tif 000002
【特許請求の範囲】
【請求項１】
塗布剤が収容された容器に装着して用いられ、前記容器に収容された塗布剤を吐出して毛髪に塗布することが可能な塗布具であって、
流路面積が段階的に狭くなる段差部を有する内部流路と、前記内部流路における前記段差部の形成位置で内外を連通する第１吐出口及び前記段差部よりも下流位置で内外を連通する第２吐出口とが形成された吐出櫛歯を有すること
を特徴とする塗布具。
【請求項２】
前記第１吐出口は、前記吐出櫛歯の根元位置よりも先端側寄りに形成されていること
を特徴とする請求項１に記載の塗布具。
【請求項３】
前記第１吐出口は、塗布剤が前記第２吐出口側へ吐出されるように形成されていること
を特徴とする請求項１又は請求項２に記載の塗布具。
【請求項４】
前記吐出櫛歯は、当該塗布具における前記容器に装着される側とは反対側に延びる板状形状のものであって、隣り合う他の櫛歯との間隔が幅方向中央で狭くなるように凸部が形成されていること
を特徴とする請求項１から請求項３までのいずれか１項に記載の塗布具。
【請求項５】
前記吐出櫛歯における前記凸部が形成された面と反対側の面が平らに形成されていること
を特徴とする請求項４に記載の塗布具。
【請求項６】
前記内部流路の入口の流路面積が同一である複数の吐出櫛歯を備えること
を特徴とする請求項１から請求項５までのいずれか１項に記載の塗布具。
【請求項７】
請求項１から請求項６までのいずれか１項に記載の塗布具と、
塗布剤が収容された容器と、
を備えることを特徴とする塗布具付容器。
【発明の詳細な説明】
【技術分野】
【０００１】
本発明は、塗布剤が収容された容器に装着して用いられる塗布具、及び、このような塗布具を備える塗布具付容器に関するものである。
【背景技術】
【０００２】
従来、塗布剤としての染毛剤が収容された容器に、染毛剤を吐出して毛髪に塗布することが可能な塗布具が装着された塗布具付容器が知られている。一般に、こうした塗布具付容器に用いられる塗布具は、内部流路及び吐出口が形成された櫛歯を複数有しており、容器に収容された染毛剤を内部流路を介して吐出口から吐出するとともに、吐出した染毛剤を櫛歯で毛髪に塗布することができるようになっている。
【０００３】
ここで、毛髪の根元へ染毛剤を塗布しやすくするという面では、吐出口の位置を櫛歯における先端側に寄せることが好ましいが、櫛歯によって保持される染毛剤の量が減ってしまうという問題がある。
【０００４】
そこで、櫛歯における先端側寄りの位置に形成された吐出口に加え、その吐出口よりも根元側寄りの位置にも吐出口を形成した構成が提案されている（特許文献１参照）。
【特許文献１】特開２００２−３２５６２１号公報
【発明の開示】
【発明が解決しようとする課題】
【０００５】
しかしながら、前述した特許文献１に記載の構成では、根元側寄りの吐出口は、内部流路における先端側寄りの吐出口へ向かう途中の側壁に単に穴を空けて形成されたものに過ぎず、先端側寄りの吐出口へ向かう染毛剤の流れを根元側寄りの吐出口へ向けるような力が生じにくいため、実際には、根元側寄りの吐出口からは染毛剤が漏れ出す程度にしか吐出されない。なお、この問題を解決するため、根元側寄りの吐出口を大きくすることも考えられるが、全体的な吐出面積を増加させることは染毛剤の吐出量が不安定となる要因であり、根元側寄りの吐出口の大きさを少し調整するだけで先端側寄りの吐出口からの吐出量が極端に減ってしまうといったように、吐出量の微調整が困難であるという問題があった。
【０００６】
本発明は、こうした問題にかんがみてなされたものであり、複数の吐出口から吐出される塗布剤の吐出量を適切なものとすることのできる塗布具及び塗布具付容器を提供することを目的としている。
【課題を解決するための手段】
【０００７】
上記目的を達成するためになされた本発明の請求項１に記載の塗布具は、塗布剤が収容された容器に装着して用いられ、容器に収容された塗布剤を吐出して毛髪に塗布することが可能なものである。そして、本発明の塗布具は、次のような吐出櫛歯を有することを特徴としている。すなわち、本発明の塗布具が有する吐出櫛歯には、流路面積が段階的に狭くなる段差部を有する内部流路と、この内部流路における段差部の形成位置で内外を連通する第１吐出口及び段差部よりも下流位置で内外を連通する第２吐出口とが形成されている。
【０００８】
このような塗布具によれば、内部流路に形成された段差部により第２吐出口への塗布剤の流れが阻害されるため、段差部を有しない構造に比べ、段差部に形成された第１吐出口からの塗布剤の吐出が促進されることになる。したがって、第１吐出口を必要以上に大きくすることなく、複数の吐出口から吐出される塗布剤の吐出量を適切なものとすることができる。
【０００９】
また、第１吐出口の位置は、吐出櫛歯の根元位置とした場合に第２吐出口から最も離れた位置となるが、第１吐出口及び第２吐出口のそれぞれから吐出された塗布剤が互いに接触せずに独立して保持されるよりも、互いに接触して連続性を持った状態で保持される方が、安定して保持される（垂れ落ちにくくなる）とともに塗布ムラも生じにくくなる。
【００１０】
そこで、請求項２に記載のように、第１吐出口は、吐出櫛歯の根元位置よりも先端側寄りに形成されていることが好ましい。例えば、第１吐出口を、吐出櫛歯における先端位置と根元位置との中間位置付近に形成することが考えられる。このようにすれば、第１吐出口及び第２吐出口のそれぞれから吐出された塗布剤が互いに接触して連続性を持った状態で保持されるようにすることができる。
【００１１】
また、例えば請求項３に記載のように、第１吐出口が、塗布剤が第２吐出口側へ吐出されるように形成されていれば、第１吐出口から吐出された塗布剤が第２吐出口側へ広がりやすくなるため、第１吐出口と第２吐出口との距離を保ちつつ、それぞれから吐出された塗布剤を互いに接触しやすくすることができる。
【００１２】
一方、例えば請求項４に記載の塗布具では、吐出櫛歯は、当該塗布具における容器に装着される側とは反対側に延びる板状形状のものであって、隣り合う他の櫛歯との間隔が幅方向中央で狭くなるように凸部が形成されている。すなわち、こうした塗布具は、容器の上部に装着されることが通常であり、ここでいう「容器に装着される側とは反対側に延びる」とは、「塗布具が容器に装着された状態で上方へ延びる」という意味である。このように吐出櫛歯が上方へ延びる形状の塗布具では、櫛歯から吐出された塗布剤がそのまま下方へ垂れ落ちやすくなるが、櫛歯間の間隔が吐出櫛歯の幅方向中央で狭くなるように凸部が形成されているため、吐出櫛歯の幅方向中央付近で塗布剤が保持されやすくなり、幅方向への広がりが抑制され、また、下方へ垂れ落ちにくくすることができる。
【００１３】
特に、例えば請求項５に記載のように、吐出櫛歯における凸部が形成された面と反対側の面が平らに形成されていれば、凸部が互いに対向するような構造に比べ、毛髪へ塗布剤を塗布する際に塗布剤が毛髪から過剰に掻き取られてしまうことを防ぐことができる。
【００１４】
また、例えば請求項６に記載の塗布具は、内部流路の入口の流路面積が同一である複数の吐出櫛歯を備える。このような塗布具によれば、各吐出櫛歯から吐出される塗布剤の量を均一に近づけることが可能となる。
【００１５】
また、請求項７に記載の塗布具付容器は、請求項１から請求項６までのいずれか１項に記載の塗布具と、塗布剤が収容された容器とを備える。このような塗布具付容器によれば、請求項１から請求項６までのいずれかの塗布具が奏する前述した効果を得ることができる。
【発明を実施するための最良の形態】
【００１６】
以下、本発明が適用された実施形態について、図面を用いて説明する。
［１．全体構成］
図１は、実施形態の塗布具付容器の説明図であり、（ａ）は上面図、（ｂ）は正面図（右側上部のみ断面図）、（ｃ）は側面図である。
【００１７】
この塗布具付容器は、染毛剤が収容された容器１０と、この容器１０の上部に装着して用いられ、容器１０に収容された染毛剤を吐出して毛髪に塗布することが可能な塗布具２０とを備えている。
【００１８】
容器１０は、可撓性を有する樹脂材料からなる有底円筒状の容器であり、その上端部に形成された口部の外周面には、塗布具２０を装着するための雄ねじ部１１が形成されている。
【００１９】
一方、塗布具２０は、容器１０の口部に装着される蓋体３０と、染毛剤を吐出して毛髪に塗布するための櫛体４０とが樹脂（例えばポリプロピレン）により一体的に成型されたものである。
【００２０】
このうち、蓋体３０には、その円筒状の側壁の内周面に、容器１０の口部に形成された雄ねじ部１１と螺合する雌ねじ部３１が形成されており、容器１０の口部を覆うように装着される。
【００２１】
また、櫛体４０には、上方（容器１０を載置した状態を基準とする上方向）へ延びるように列設された複数（本実施形態では１０本）の櫛歯５０，５０，…を有している。各櫛歯５０は、先端部から根元部へ向かって幅方向（櫛歯５０，５０，…の列設方向及び櫛歯５０の高さ方向（延びる方向）と直交する方向）に広がる略三角形の板状形状となっている（図１（ｃ）参照）。
【００２２】
ここで、１０本の櫛歯５０，５０，…は、その外形に応じて３種類に分類される。具体的には、中央の２本の櫛歯５０（以下「櫛歯６０」ともいう。）と、その両側の各３本（計６本）の櫛歯５０（以下「櫛歯７０」ともいう。）と、最も両端の各１本（計２本）の櫛歯５０（以下「櫛歯８０」ともいう。）とに分類される。
【００２３】
このうち、櫛歯６０には、図２（ａ）に示すように、容器１０（図２（ａ）における下方）から供給される染毛剤を当該櫛歯６０の内部に流入させるための第１流路６１が形成されている。この第１流路６１は、櫛歯６０における根元位置から先端位置までの中間位置付近で、第１流路６１に比べ流路面積の狭い第２流路６２に接続されている。つまり、櫛歯６０には、第１流路６１と第２流路６２とからなる内部流路が形成されており、この内部流路の途中（第１流路６１と第２流路６２との接続位置）には、流路面積が段階的に狭くなる段差部６３が形成されている。
【００２４】
そして、櫛歯６０には、内部流路における段差部６３の形成されている位置（櫛歯６０における根元位置から先端位置までの中間位置付近）に、内部流路と櫛歯６０の外部とを連通する第１吐出口６４が形成されており、内部流路における最下流位置（段差部６３よりも下流位置）には、内部流路と櫛歯６０の外部とを連通する第２吐出口６５が形成されている。
【００２５】
さらに、櫛歯６０における隣り合う他の櫛歯５０と対向する両面には、図３（ａ）にも示すように、隣り合う他の櫛歯５０（櫛歯６０又は櫛歯７０）との間隔が幅方向中央で狭くなるように、上方から見て円弧状に膨らんだ凸部６７が形成されている。なお、凸部６７は、第１吐出口６４の下方にのみ形成される。
【００２６】
また、櫛歯７０にも、櫛歯６０と同様、図２（ｂ）に示すように、第１流路７１が形成されており、この第１流路７１は、櫛歯７０における根元位置から先端位置までの中間位置付近で、第１流路７１に比べ流路面積の狭い第２流路７２に接続されている。つまり、櫛歯７０にも、第１流路７１と第２流路７２とからなる内部流路が形成されており、この内部流路の途中には、流路面積が段階的に狭くなる段差部７３が形成されている。
【００２７】
そして、櫛歯７０にも、内部流路における段差部７３の形成されている位置に、内部流路と櫛歯７０の外部とを連通する第１吐出口７４が形成されており、内部流路における最下流位置には、内部流路と櫛歯７０の外部とを連通する第２吐出口７５が形成されている。
【００２８】
さらに、櫛歯７０における隣り合う他の櫛歯５０と対向する両面のうち一方（櫛歯６０側とは反対側の面）には、図３（ｂ）にも示すように、隣り合う他の櫛歯５０（櫛歯７０又は櫛歯８０）との間隔が幅方向中央で狭くなるように、上方から見て円弧状に膨らんだ凸部７７が形成されている。なお、凸部７７も、櫛歯６０の凸部６７と同様、第１吐出口７４の下方にのみ形成される。
【００２９】
このように、櫛歯６０はその両面に凸部６７が形成されているのに対し、櫛歯７０はその片面にのみ凸部７７が形成されている点が異なっている。
また、櫛歯６０の第１吐出口６４は両面に（つまり２つ）形成されているのに対し、櫛歯７０の第１吐出口７４は凸部７７が形成された片面にのみ（つまり１つのみ）形成されている点も異なっている。このため、櫛歯６０は櫛歯７０よりも全体的な吐出面積が大きくなるが、櫛歯６０は両面に凸部６７が形成されている分、櫛歯７０よりも厚み方向の寸法が大きく、櫛歯６０の第１流路６１は櫛歯７０の第１流路７１よりも断面積が大きく形成されているため（図３（ａ）及び図３（ｂ）参照）、吐出量の片寄りが防止される。
【００３０】
なお、本実施形態では、図４に示すように、第１吐出口７４（第１吐出口６４も同様）は長方形に形成されており、第２吐出口７５（第２吐出口６５も同様）は円形に形成されている。また、櫛歯６０の第２流路６２と櫛歯７０の第２流路７２（図３（ｃ）参照）とは、同一形状となっている。
【００３１】
一方、櫛歯８０は、図２（ｂ）に示すように、内部流路を備えておらず、凸部も備えていない点で、櫛歯６０や櫛歯７０と異なる。また、櫛歯８０には、製造の都合上、櫛歯６０の第２吐出口６５及び櫛歯７０の第２吐出口７５と同軸位置に、これらと同一形状（円形）の貫通穴８５が形成される。
【００３２】
なお、本実施形態では、櫛歯７０のうち左右両端のものについては内部流路が形成されていない構造を例示しているが（図１（ｂ）参照）、これはあくまでも一例であり、これらについても内部流路を形成してもよい。
【００３３】
［２．作用］
次に、塗布具付容器の作用について説明する。
使用者が容器１０の胴部を押圧して押しつぶすと、容器１０の内部が加圧され、容器１０に収容された染毛剤が櫛体４０の各櫛歯５０（櫛歯６０及び櫛歯７０）へ供給される。
【００３４】
そして、図５に示すように、櫛歯７０の内部流路の入口７６から流入した染毛剤は、第１流路７１から第２流路７２へ流動する際、段差部７３で流れが阻害され、第１吐出口７４から外部へ吐出される流れと第２流路７２（最終的には第２吐出口７５）への流れとに分流される。ここで、第１吐出口７４よりも上方には凸部７７が形成されていないため、第１流路７１から第１吐出口７４へ流れる染毛剤は、上方（第２吐出口７５側）へ吐出される。
【００３５】
こうして櫛歯７０の第１吐出口７４及び第２吐出口７５のそれぞれから吐出された染毛剤は、当該櫛歯７０と隣り合う他の櫛歯５０との間で互いに接触して連続性を持った状態で保持される。ここで、他の櫛歯５０との間隔は、凸部７７により幅方向中央で狭くなっているため、櫛歯から吐出された染毛剤は幅方向中央付近で保持されやすくなり、幅方向への広がりが抑制される。
【００３６】
一方、櫛歯６０においても同様に、櫛歯６０の内部流路の入口６６から流入した染毛剤は、第１流路６１から第２流路６２へ流動する際、段差部６３で流れが阻害され、第１吐出口６４から外部へ吐出される流れと第２流路６２（最終的には第２吐出口６５）への流れとに分流され、第１流路６１から第１吐出口６４へ流れる染毛剤は、上方（第２吐出口６５側）へ吐出される。こうして櫛歯６０の第１吐出口６４及び第２吐出口６５のそれぞれから吐出された染毛剤は、当該櫛歯６０と隣り合う他の櫛歯５０の間で互いに接触して連続性を持った状態で保持される。
【００３７】
このように櫛歯６０及び櫛歯７０から吐出された染毛剤は櫛体４０により保持され、この状態で使用者が櫛体４０で毛髪を梳くことにより毛髪に塗布される。
［３．効果］
以上説明したように、本実施形態の塗布具付容器は、塗布具２０が、次のような櫛歯６０，７０（本発明の吐出櫛歯に相当）を有している。
【００３８】
すなわち、櫛歯６０（７０）には、第１流路６１（７１）及び第２流路６２（７２）からなる内部流路と、この内部流路における段差部６３（７３）の形成位置で内外を連通する第１吐出口６４（７４）及び段差部６３（７３）よりも下流位置で内外を連通する第２吐出口６５（７５）とが形成されている。具体的には、段差部６３（７３）は、内部流路において当該段差部６３（７３）へ向かって流れる染毛剤の一部を第１吐出口６４（７４）へ分流するように形成されている。
【００３９】
このような塗布具２０によれば、内部流路に形成された段差部６３（７３）により第２吐出口６５（７５）への染毛剤の流れが阻害されるため、段差部６３（７３）を有しない構造に比べ、段差部６３（７３）の形成位置に形成された第１吐出口６４（７４）からの染毛剤の吐出が促進されることになる。このため、第１吐出口６４（７４）を必要以上に大きくすることなく、第１吐出口６４（７４）及び第２吐出口６５（７５）から吐出される染毛剤の吐出量を適切なものとする（例えば吐出量を近づける）ことができる。
【００４０】
また、第１吐出口６４（７４）が、櫛歯６０（７０）における先端位置と根元位置との中間位置付近に形成されているため、第１吐出口６４（７４）及び第２吐出口６５（７５）のそれぞれから吐出された染毛剤が互いに接触して連続性を持った状態で保持されやすくすることができる。この結果、染毛剤が安定して保持される（垂れ落ちにくくなる）とともに塗布ムラを生じにくくすることができる。
【００４１】
さらに、第１吐出口６４（７４）は、染毛剤が第２吐出口６５（７５）側へ吐出されるように形成されており、第１吐出口６４（７４）から吐出された染毛剤が第２吐出口６５（７５）側へ広がりやすくなるため、第１吐出口６４（７４）と第２吐出口６５（７５）との距離を保ちつつ、それぞれから吐出された染毛剤を互いに接触しやすくすることができる。
【００４２】
一方、本実施形態の塗布具２０では、櫛歯６０（７０）には、隣り合う他の櫛歯５０との間隔が幅方向中央で狭くなるように凸部６７（７７）が形成されており、吐出された染毛剤が、間隔の狭い幅方向中央付近で保持されやすくなるため、染毛剤の幅方向への広がりを抑制することができ、また、垂れ落ちにくくすることができる。
【００４３】
特に、櫛歯７０は、凸部７７が形成された面と反対側の面が平らに形成されているため、凸部７７が互いに対向するような構造に比べ、毛髪へ染毛剤を塗布する際に染毛剤が毛髪から過剰に掻き取られてしまうことを防ぐことができる。
【００４４】
加えて、複数の櫛歯６０の内部流路の入口６６の流路面積が同一であるため、これらから吐出される染毛剤の量を均一に近づけることができ、同様に、複数の櫛歯７０の内部流路の入口７６の流路面積が同一であるため、これらから吐出される染毛剤の量を均一に近づけることができる。特に、櫛歯７０に比べて全体的な吐出面積の大きい櫛歯６０は、内部流路の入口６６の流路面積も櫛歯７０の入口７６に比べて大きく形成されているため、すべての吐出口から吐出される染毛剤の吐出量を適切なものとする（例えば吐出量を近づける）ことができる。
【００４５】
［４．他の形態］
以上、本発明の実施形態について説明したが、本発明は、上記実施形態に限定されることなく、種々の形態を採り得ることは言うまでもない。
【００４６】
例えば、第１吐出口６４（７４）及び第２吐出口６５（７５）の各形状は、上記実施形態で例示したものに限定されるものではなく、種々の形状とすることが可能である。
また、上記実施形態では、櫛歯６０（７０）における根元位置から先端位置までの中間位置付近に第１吐出口６４（７４）が形成された構成を例示したが、これに限定されるものではない。例えば、第１吐出口６４（７４）を櫛歯６０（７０）における根元位置に形成することも可能である。ただし、第１吐出口６４（７４）と第２吐出口６５（７５）との位置が離れると、それぞれから吐出された染毛剤が互いに接触せずに独立して保持されることとなり、保持状態が不安定となるとともに塗布ムラも生じやすくなるため、第１吐出口６４（７４）は根元位置よりも先端側寄りに形成されていることが好ましい。
【００４７】
さらに、上記実施形態では、櫛歯６０（７０）における高さ方向に沿った位置の異なる２種類の吐出口を形成した構成を例示したが、これに限定されるものではなく、３種類以上の吐出口を形成してもよい。
【００４８】
また、上記実施形態では、中央の２本の櫛歯６０，６０は第１吐出口６４が両面に形成されているが、例えば、２本の櫛歯６０，６０における互いに向かい合う側の面に形成された第１吐出口６４のうち片方を塞いだ構成としてもよい。このようにすれば、２本の櫛歯６０，６０間における染毛剤の吐出量を、他の櫛歯間の吐出量に近づけることができる。
【００４９】
さらに、上記実施形態では、１本の櫛歯６０（７０）に１本の内部流路が形成され、この内部流路に沿って第１吐出口６４（７４）及び第２吐出口６５（７５）が形成されたものを例示したが、これに限定されるものではなく、１本の櫛歯６０（７０）に複数本の内部流路を形成してもよい。具体的には、例えば、櫛歯６０（７０）の幅方向に内部流路を複数列形成し、各内部流路に沿って第１吐出口６４（７４）及び第２吐出口６５（７５）を形成することができる。
【００５０】
一方、上記実施形態では、上方へ延びるように列設された複数の櫛歯５０，５０，…を有する櫛体４０を例示したが、これに限定されるものではなく、例えば、横向きに延びる複数の櫛歯を有する構成であってもよい。
【００５１】
また、上記実施形態では、染毛剤を収容する容器として、胴部を押圧して押しつぶすことにより染毛剤を塗布具２０へ供給するタイプの容器１０を例示したが、これに限定されるものではなく、例えば、エアゾール容器を用いてもよい。
【００５２】
さらに、上記実施形態では、塗布剤として染毛剤を例示したが、これに限定されるものではない。例えば、脱色剤のように染毛剤以外の毛髪化粧料であってもよい。また、塗布剤は毛髪化粧料に限定されるものではなく、例えば育毛剤のように毛髪化粧料以外の毛髪用塗布剤であってもよい。
【図面の簡単な説明】
【００５３】
【図１】実施形態の塗布具付容器の説明図である。
【図２】櫛歯を正面から見た断面構造の説明図である。
【図３】櫛歯を上面から見た断面構造の説明図である。
【図４】櫛歯の外観図である。
【図５】櫛歯の内部流路における染毛剤の流れを説明するための説明図である。
【符号の説明】
【００５４】
１０…容器、１１…雄ねじ部、２０…塗布具、３０…蓋体、３１…雌ねじ部、４０…櫛体、５０（６０，７０，８０）…櫛歯、６１，７１…第１流路、６２，７２…第２流路、６３，７３…段差部、６４，７４…第１吐出口、６５，７５…第２吐出口、６６，７６…内部流路の入口、６７，７７…凸部、８５…貫通穴
【図１】
2010082326.tif 000003
【図２】
2010082326.tif 000004
【図３】
2010082326.tif 000005
【図４】
2010082326.tif 000006
【図５】
2010082326.tif 000007